(57)【要約】【課題】１０Ｇ−ＥＰＯＮにおいて、非対称システム（１０Ｇ／１Ｇ−ＥＰＯＮシステム）を運用することを可能とすること。【解決手段】第１通信速度で信号を送受信する第１局側終端部１２ａ及び第２通信速度で信号を送受信する第２局側終端部１２ｂを備えた局側終端装置１２と、第１加入者側終端装置１４ａ、第２加入者側終端装置１４ｂ、及び第３加入者側終端装置１４ｃとを含む加入者側終端装置１４とを、光ファイバ１８を介して接続する光カプラ１６とを備えていて、第１局側終端部が、第２局側終端部で送信した第２下り信号Ｄ２に関する情報を記憶しかつ送受信するする第１記憶送受信部１２ａ６を備えており、第２局側終端部が、第１局側終端部で送信した第１上り信号Ｕ１に関する情報を記憶しかつ送受信する第２記憶送受信部１２ｂ６を備えている。【選択図】図１
2010206760.tif 000002
【特許請求の範囲】
【請求項１】
第１通信速度で通信される第１波長の第１上り信号を受信する第１局側受信部及び第１通信速度で通信される第２波長の第１下り信号を送信する第１局側送信部を備えた第１局側終端部、並びに、
第２通信速度で通信される第３波長の第２上り信号を受信する第２局側受信部及び第２通信速度で通信される第４波長の第２下り信号を送信する第２局側送信部を備えた第２局側終端部を
備えた局側終端装置と、
前記第２下り信号を受信する第１加入者側受信部及び前記第１上り信号を送信する第１加入者側送信部を備えた第１加入者側終端装置、
前記第１下り信号を受信する第２加入者側受信部及び前記第２上り信号を送信する第２加入者側送信部を備えた第２加入者側終端装置、並びに
前記第２下り信号を受信する第３加入者側受信部及び前記第２上り信号を送信する第３加入者側送信部を備えた第３加入者側終端装置を含む加入者側終端装置と、
前記局側終端装置及び前記加入者側終端装置を光ファイバを介して接続する光カプラとを備えていて、
前記第１局側終端部は、前記第２局側終端部が送信した第２下り信号に関する情報を記憶しかつ送受信する第１記憶送受信部を備えており、
前記第２局側終端部は、前記第１局側終端部が送信した第１上り信号に関する情報を記憶しかつ送受信する第２記憶送受信部を備えていることを特徴とするＥＰＯＮシステム。
【請求項２】
前記第１記憶送受信部は、前記第２局側終端部における前記第２下り信号の送信タイミング情報、及び前記第１加入者側終端装置の論理リンク識別子（ＬＬＩＤ）情報を保持しており、
前記第２記憶送受信部は、前記第１局側終端部が受信した登録要求（Ｒｅｇｉｓｔｅｒ  Ｒｅｑｕｅｓｔ）信号に関する情報、及び登録許可（Ｒｅｇｉｓｔｅｒ  ＡＣＫ）信号に関する情報を保持していることを特徴とする請求項１に記載のＥＰＯＮシステム。
【請求項３】
前記局側終端装置は、前記第１局側受信部に、該第１局側受信部で受信した第１上り信号を前記第２局側終端部に転送する信号転送部を備え、及び、前記第２局側受信部に、該転送された第１上り信号を受信する信号受信部を備えることを特徴とする請求項１又は２に記載のＥＰＯＮシステム。
【請求項４】
前記第１通信速度が１Ｇｂｐｓであり、前記第２通信速度が１０Ｇｂｐｓであることを特徴とする請求項１〜３のいずれか一項に記載のＥＰＯＮシステム。
【発明の詳細な説明】
【技術分野】
【０００１】
この発明は、ＥＰＯＮ（Ｅｔｈｅｒｎｅｔ（登録商標）Ｐａｓｓｉｖｅ  Ｏｐｔｉｃａｌ  Ｎｅｔｗｏｒｋ）システムに関する。
【背景技術】
【０００２】
光加入者系アクセスシステムとして、局側終端装置（ＯＬＴ：Ｏｐｔｉｃａｌ  Ｌｉｎｅ  Ｔｅｒｍｉｎａｔｉｏｎ）と加入者側終端装置（ＯＮＵ：Ｏｐｔｉｃａｌ  Ｎｅｔｗｏｒｋ  Ｕｎｉｔ）間を１対多で接続する構成の受動型光ネットワーク（ＰＯＮ）が知られている。ＰＯＮシステムでは、一つのＯＬＴと複数のＯＮＵとの間を光ファイバ及び光カプラを用いて接続する（例えば、特許文献１〜６参照）。
【０００３】
ＥＰＯＮは、ＰＯＮシステムの一形態であり、イーサネット（登録商標）方式でＯＬＴとＯＵＮ間の通信を行う。ＥＰＯＮの通信速度は、ＩＥＥＥ８０２．３ａｈで標準規格として規定されており、従来１Ｇｂｐｓであった。この１Ｇｂｐｓの通信速度を有するＥＰＯＮシステムは既に商用導入されている。
【０００４】
近年、通信速度のさらなる高速化を目指して、通信速度を１０Ｇｂｐｓまで上げる取り組みが進んでいる。この規格は２００９年９月に、ＩＥＥＥ８０２．３ａｖとしてシステム仕様が標準化される予定である。
【０００５】
１０Ｇ−ＥＰＯＮシステムでは、上り通信と下り通信の通信速度によって、２種類のシステム構成が議論されている。一つは、ＯＬＴ→ＯＮＵ方向の下り通信を１０Ｇｂｐｓで行い、かつ、ＯＮＵ→ＯＬＴ方向の上り通信を１０Ｇｂｐｓで行う対称型１０Ｇ／１０Ｇ−ＥＰＯＮシステムであり、もう一つは、ＯＬＴ→ＯＮＵ方向の下り通信を１０Ｇｂｐｓで行い、かつ、ＯＮＵ→ＯＬＴ方向の上り通信を１Ｇｂｐｓで行う非対称型１０Ｇ／１Ｇ−ＥＰＯＮシステムである。
【先行技術文献】
【特許文献】
【０００６】
【特許文献１】特開２００７−１４２５２９号公報
【特許文献２】特開２００２−３１４５６７号公報
【特許文献３】特開２００７−９６８４７号公報
【特許文献４】特開２００５−３２８２９４号公報
【特許文献５】特開２００４−１７９７２３号公報
【特許文献６】特開２００１−３４５７８６号公報
【発明の概要】
【発明が解決しようとする課題】
【０００７】
このように、１０Ｇ−ＥＰＯＮシステムは、対称型１０Ｇ／１０Ｇ−ＯＮＵ、非対称型１０Ｇ／１Ｇ−ＯＵＮ、及び既存の１Ｇ／１Ｇ−ＯＮＵという３種類のＯＮＵが同一のカプラの配下に共存可能なシステムである。しかしながら、これら３種類のＯＮＵ、特に非対称型１０Ｇ／１Ｇ−ＯＵＮを２種類のＯＬＴ（１Ｇ／１Ｇ−ＯＬＴ及び１０Ｇ／１０Ｇ−ＯＬＴ）により収容する技術は、特許文献１〜６には開示されていない。
【０００８】
その結果、非対称システムを従来型のＥＰＯＮシステムで運用しようとすると問題が生じる場合があった。以下、この問題点について図４を参照して説明する。図４は、従来型のＥＰＯＮシステムの概略構成を示す模式図である。図４によれば、ＥＰＯＮシステム１００は、局側終端装置１０１として、上り通信速度が１０Ｇｂｐｓかつ下り通信速度が１０Ｇｂｐｓである１０Ｇ／１０Ｇ−ＯＬＴ装置１０２と、上り通信速度が１Ｇｂｐｓかつ下り通信速度が１Ｇｂｐｓである１Ｇ／１Ｇ−ＯＬＴ装置１０４と、受信及び送信する通信信号の合分波を行うＷＤＭ（Ｗａｖｅｌｅｎｇｔｈ  Ｄｉｖｉｓｉｏｎ  Ｍｕｌｔｉｐｌｅｘｅｒ）１２０を備えている。
【０００９】
１０Ｇ／１０Ｇ−ＯＬＴ装置１０２と１Ｇ／１Ｇ−ＯＬＴ装置１０４とは、共通のＷＤＭ１２０を介して光ファイバ１２２に接続されている。
【００１０】
また、ＥＰＯＮシステム１００は、上り通信速度が１０Ｇｂｐｓかつ下り通信速度が１０Ｇｂｐｓである１０Ｇ／１０Ｇ−ＯＮＵ装置１１２と、上り通信速度が１Ｇｂｐｓかつ下り通信速度が１Ｇｂｐｓである１Ｇ／１Ｇ−ＯＮＵ装置１１４と、上り通信速度が１Ｇｂｐｓかつ下り通信速度が１０Ｇｂｐｓである１０Ｇ／１Ｇ−ＯＮＵ装置１１６とを備えている。
【００１１】
これらの１０Ｇ／１０Ｇ−ＯＵＮ装置１１２、１Ｇ／１Ｇ−ＯＵＮ装置１１４、及び１０Ｇ／１Ｇ−ＯＵＮ装置１１６は、それぞれ光ファイバ１２２に接続されている。
【００１２】
さらに、ＥＰＯＮシステム１００は、通信信号を合流／分岐させる光カプラ１１８を備えている。光カプラ１１８は、光ファイバ１２２の分岐点に設けられている。
【００１３】
なお、図４に示すように、ＥＰＯＮシステム１００において、通信速度が１Ｇｂｐｓの下り信号の波長λａは１４８０〜１５００ｎｍであり、通信速度が１Ｇｂｐｓの上り信号の波長λｂは、１２６０〜１３６０ｎｍである。また、通信速度が１０Ｇｂｐｓの下り信号の波長λｃは、１５７４〜１５８０ｎｍであり、通信速度が１０Ｇｂｐｓの上り信号の波長λｄは、１２６０〜１２８０ｎｍである。
【００１４】
次に、図２を参照して、このようなＥＰＯＮシステム１００において、未登録の１０Ｇ／１Ｇ−ＯＮＵ装置１１６を局側終端装置１０１に登録する発見（Ｄｉｓｃｏｖｅｒｙ）プロセスについて考える。図２はＤｉｓｃｏｖｅｒｙプロセスにおける信号の流れを記したシーケンス図である。
【００１５】
Ｄｉｓｃｏｖｅｒｙプロセスにおいて、１０Ｇ／１０Ｇ−ＯＬＴ装置１０２から１０Ｇ／１Ｇ−ＯＮＵ装置１１６に対して通信速度が１０Ｇｂｐｓ（波長λｃ）で下り方向に上り送信許可（Ｄｉｓｃｏｖｅｒｙ  Ｇａｔｅ）信号Ｓ１が送信されたものとする。
【００１６】
Ｄｉｓｃｏｖｅｒｙ  Ｇａｔｅ信号Ｓ１を受信した１０Ｇ／１Ｇ−ＯＮＵ装置１１６は、通信速度が１Ｇｂｐｓ（波長λｂ）で、登録要求（Ｒｅｇｉｓｔｅｒ  Ｒｅｑｕｅｓｔ）信号Ｓ２を１０Ｇ／１０Ｇ−ＯＬＴ装置１０２に返信する。
【００１７】
このＲｅｇｉｓｔｅｒ  Ｒｅｑｕｅｓｔ信号Ｓ２は、通信速度１Ｇｂｐｓ及び波長λｂで１０Ｇ／１０Ｇ−ＯＬＴ装置１０２に送信される。ところが、１０Ｇ／１０Ｇ−ＯＬＴ装置１０２の上り方向の受信波長はλｄであるために、１０Ｇ／１０Ｇ−ＯＬＴ装置１０２は、１０Ｇ／１Ｇ−ＯＮＵ装置１１６からのＲｅｇｉｓｔｅｒ  Ｒｅｑｕｅｓｔ信号Ｓ２（波長λｂ）を受信することができない。その結果、ＥＰＯＮシステム１００は、Ｄｉｓｃｏｖｅｒｙプロセスを完了することができず、１０Ｇ／１Ｇ−ＯＮＵ装置１１６は、局側終端装置１０１に登録されない。つまり、従来のＥＰＯＮシステム１００では上り方向と下り方向とで通信速度が異なる非対称型システムを運用することができない。
【００１８】
この発明は、このような問題点に鑑みなされたものである。従ってこの発明の目的は、１０Ｇ−ＥＰＯＮにおいて、非対称システム（１０Ｇ／１Ｇ−ＥＰＯＮシステム）を運用することが可能なＥＰＯＮシステムを提供することにある。
【課題を解決するための手段】
【００１９】
上述した目的の達成を図るために、この発明のＥＰＯＮシステムは、第１通信速度で通信される第１波長の第１上り信号を受信する第１局側受信部及び第１通信速度で通信される第２波長の第１下り信号を送信する第１局側送信部を備えた第１局側終端部、並びに、第２通信速度で通信される第３波長の第２上り信号を受信する第２局側受信部及び第２通信速度で通信される第４波長の第２下り信号を送信する第２局側送信部を備えた第２局側終端部を備えた局側終端装置を備えている。
【００２０】
また、ＥＰＯＮシステムは、第２下り信号を受信する第１加入者側受信部及び第１上り信号を送信する第１加入者側送信部を備えた第１加入者側終端装置、第１下り信号を受信する第２加入者側受信部及び第２上り信号を送信する第２加入者側送信部を備えた第２加入者側終端装置、並びに第２下り信号を受信する第３加入者側受信部及び第２上り信号を送信する第３加入者側送信部を備えた第３加入者側終端装置を含む加入者側終端装置と、局側終端装置及び加入者側終端装置を光ファイバを介して接続する光カプラとを備えている。
【００２１】
そして、第１局側終端部は、第２局側終端部が送信した第２下り信号に関する情報を記憶しかつ送受信する第１記憶送受信部を備えており、第２局側終端部は、第１局側終端部が送信した第１上り信号に関する情報を記憶しかつ送受信する第２記憶送受信部を備えていることを特徴とする。
【００２２】
上述したＥＰＯＮシステムにおいて、第１記憶送受信部は、第２局側終端部における第２下り信号の送信タイミング情報、及び第１加入者側終端装置の論理リンク識別子（ＬＬＩＤ）情報を保持しており、第２記憶送受信部は、第１局側終端部が受信した登録要求（Ｒｅｇｉｓｔｅｒ  Ｒｅｑｕｅｓｔ）信号に関する情報、及び登録許可（Ｒｅｇｉｓｔｅｒ  ＡＣＫ）信号に関する情報を保持していることを特徴とする。
【００２３】
また、このＥＰＯＮシステムにおいて、局側終端装置は、第１局側受信部に、第１局側受信部で受信した第１上り信号を第２局側終端部に転送する信号転送部を備え、及び、第２局側受信部に、転送された第１上り信号を受信する信号受信部を備えることを特徴とする。
【００２４】
さらに、このＥＰＯＮシステムにおいて、第１通信速度が１Ｇｂｐｓであり、第２通信速度が１０Ｇｂｐｓであることが好ましい。
【発明の効果】
【００２５】
この発明のＥＰＯＮシステムは、上述のように構成したので、上り方向と下り方向とで通信速度の異なる加入者側終端装置を登録することができる。
【図面の簡単な説明】
【００２６】
【図１】ＥＰＯＮシステムの構成を概略的に示す模式図である。
【図２】局側終端装置と加入者側終端装置との間で行われるＤｉｓｃｏｖｅｒｙプロセスの処理の手順を示したシーケンス図である。
【図３】第１局側終端部の第１記憶送受信部と、第２局側終端部の第２記憶送受信部との間の情報のやり取りを示すシーケンス図である。
【図４】従来型のＥＰＯＮシステムの概略構成を示す模式図である。
【発明を実施するための形態】
【００２７】
以下、図面を参照して、この発明の実施の形態について説明する。なお、各図は、この発明が理解できる程度に概略的に示してある。また、以下、この発明の構成例について説明するが、これは単なる好適例にすぎない。従って、この発明は、以下の実施の形態に何ら限定されない。また、各図において、共通する構成要素の説明を省略することもある。
【００２８】
（構造）
図１は、この実施の形態のＥＰＯＮシステムの構成を概略的に示す模式図である。
【００２９】
まず、図１を参照して、この実施の形態のＥＰＯＮシステム１０の構成について説明する。
【００３０】
ＥＰＯＮシステム１０は、局側終端装置１２と、加入者側終端装置１４と、光カプラ１６と、光ファイバ１８とを備えている。
【００３１】
詳しくは後述するが、加入者側終端装置１４を構成する第１加入者側終端装置１４ａ、第２加入者側終端装置１４ｂ、及び第３加入者側終端装置１４ｃは、光ファイバ１８を介して光カプラ１６により局側終端装置１２にそれぞれ接続されている。
【００３２】
なお、以下の説明で、「下り」とは、通信方向が局側終端装置１２から加入者側終端装置１４に向かっていることを示す。また、「上り」とは、通信方向が加入者側終端装置１４から局側終端装置１２に向かっていることを示す。
【００３３】
局側終端装置１２は、第１局側終端部１２ａと、第２局側終端部１２ｂと、ＷＤＭ１２ｃとを備えている。第１局側終端部１２ａと第２局側終端部１２ｂとの違いは、主に通信速度と通信波長にある。
【００３４】
第１局側終端部１２ａは、第１通信速度で通信される第１波長λ１の第１上り信号Ｕ１を、加入者側終端装置１４から受信する。そして、第１通信速度で通信される第２波長λ２の第１下り信号Ｄ１を加入者側終端装置１４に向けて送信する。この実施の形態では、第１局側終端装置１２ａの第１通信速度は、好ましくは、例えば１Ｇｂｐｓとする。また、第１上り信号Ｕ１の第１波長λ１は、好ましくは、例えば１２６０〜１３６０ｎｍとする。また、第１下り信号Ｄ１の第２波長λ２は、好ましくは、例えば１４８０〜１５００ｎｍとする。
【００３５】
第２局側終端部１２ｂは、第２通信速度で通信される第３波長λ３の第２上り信号Ｕ２を、加入者側終端装置１４から受信する。そして、第２通信速度で通信される第４波長λ４の第２下り信号Ｄ２を加入者側終端装置１４に向けて送信する。この実施の形態では、第２局側終端装置１２ｂの第２通信速度は、好ましくは、例えば１０Ｇｂｐｓとする。また、第２上り信号Ｕ２の第３波長λ３は、好ましくは、例えば１２６０〜１２８０ｎｍとする。また、第２下り信号Ｄ２の第４波長λ４は、好ましくは、例えば１５７４〜１５８０ｎｍとする。
【００３６】
ＷＤＭ１２ｃは、第１及び第２局側終端部１２ａ及び１２ｂに対して入出力する４種の光信号（第１上り信号Ｕ１、第１下り信号Ｄ１、第２上り信号Ｕ２及び第２下り信号Ｄ２）を合分波する。
【００３７】
以下、第１及び第２局側終端部１２ａ及び１２ｂの構成についてより詳細に説明する。
【００３８】
第１局側終端部１２ａは、第１局側ＷＤＭ１２ａ１と、第１局側受信部１２ａ２と、第１局側送信部１２ａ３と、第１局側処理部１２ａ４と、第１管理部１２ａ５と、第１記憶送受信部１２ａ６と、信号転送部１２ａ７とを備えている。
【００３９】
第１局側ＷＤＭ１２ａ１は、第１局側終端部１２ａに対して光ファイバ１８を介して入出力する第１上り信号Ｕ１（波長λ１）及び第１下り信号Ｄ１（波長λ２）の波長のみを通過させる波長フィルタである。第１局側ＷＤＭ１２ａ１の構成は従来公知であるので、これ以上の説明を省略する。
【００４０】
第１局側受信部１２ａ２は、第１局側ＷＤＭ１２ａ１で選択された第１波長λ１の第１上り信号Ｕ１を受信して電気信号へと変換し、第１局側処理部１２ａ４に送信する機能を有する。
【００４１】
第１局側送信部１２ａ３は、第１局側処理部１２ａ４で処理された電気信号を、光信号へと変換し、この光信号を第２波長λ２の第１下り信号Ｄ１として、第１局側ＷＤＭ１２ａ１に向けて送信する機能を有する。
【００４２】
第１局側処理部１２ａ４は、第１局側受信部１２ａ２、第１局側送信部１２ａ３及び信号転送部１２ａ７に接続されている。第１局側処理部１２ａ４は、第１局側受信部１２ａ２から受信した電気信号、及び、第１局側送信部１２ａ３に送信する電気信号を処理する機能を有しており、ＣＰＵの機能手段として構成されている。なお、信号転送部１２ａ７については後述する。
【００４３】
第１局側処理部１２ａ４は、ＰＭＡ（Ｐｈｙｓｉｃａｌ  Ｍｅｄｉｕｍ  Ａｔｔａｃｈｍｅｎｔ：物理媒体接続部）レイヤＰＭＡと、ＰＣＳ（Ｐｈｙｓｉｃａｌ  Ｃｏｄｉｎｇ  Ｓｕｂｌａｙｅｒ：物理符合化副層）レイヤＰＣＳと、ＲＳ（Ｒｅｃｏｎｃｉｌｉａｔｉｏｎ  Ｓｕｂｌａｙｅｒ：リコンシリエーション副層）レイヤＲＳと、ＭＡＣ（Ｍｅｄｉａ  Ａｃｃｅｓｓ  Ｃｏｎｔｒｏｌ：媒体アクセス制御）レイヤＭＡＣと、ＭＰＭＣ（Ｍｕｌｔｉ−Ｐｏｉｎｔ  Ｍａｃ  Ｃｏｎｔｒｏｌ：マルチポイントＭＡＣ制御）レイヤＭＰＭＣと、ＯＡＭ（Ｏｐｅｒａｔｉｏｎｓ，Ａｄｍｉｎｉｓｔｒａｔｉｏｎ，ａｎｄ  Ｍａｉｎｔｅｎａｎｃｅ：接続線路の保守／運用／管理）レイヤＯＡＭと、ＭＡＣ−Ｃｌｉｅｎｔレイヤとを備えている。
【００４４】
ここで、ＰＭＡレイヤＰＭＡは、後述するＰＣＳレイヤＰＣＳで符合化された論理的な伝送ビット列と媒体上を伝送する信号列との変換を規定するレイヤである。
【００４５】
また、ＰＣＳレイヤＰＣＳは、送信するデータを信号化に適したビット列に変換する符合化を規定するものである。
【００４６】
ＲＳレイヤＲＳは、ＭＡＣフレームに付与されるプリアンブルやＬＬＩＤ（Ｌｏｇｉｃａｌ  Ｌｉｎｋ  ＩＤ）の処理を規定するものである。
【００４７】
ＭＡＣレイヤＭＡＣは、フレームの送受信方法、フレームの形式、及びフレームの誤り検出方法を規定するものである。
【００４８】
ＭＰＭＣレイヤＭＰＭＣは、ＭＡＣフレームの転送プロトコルを規定するものである。
【００４９】
ＯＡＭレイヤＯＡＭは、保守、運用及び管理を行うためのプロトコルである。
【００５０】
ＭＡＣ−Ｃｌｉｅｎｔレイヤは、第１局側処理部１２ａ４と、より上位の機器（例えばパーソナルコンピュータ等）とを接続する機能を有する。
【００５１】
なお、第１局側処理部１２ａ４を構成する各レイヤは従来公知であるので、これ以上の説明を省略する。
【００５２】
第１管理部１２ａ５は、第１局側終端部１２ａにおける加入者側終端装置１４との通信を管理する機能を有する。具体的には第１管理部１２ａ５は、送信タイミング管理部１２ａ１０と、ＬＬＩＤ管理部１２ａ１１とを備えている。
【００５３】
送信タイミング管理部１２ａ１０は、第１及び第２波長λ１及びλ２で通信を行う個々の加入者側終端装置１４の第１局側終端部１２ａに対する送信タイミングに関する情報（以下、「送信タイミング情報」と称する。）を記憶して管理している。送信タイミング管理部１２ａ１０が送信タイミングを管理することにより、加入者側終端装置１４から第１局側終端部１２ａへと送信される通信信号（第１上り信号Ｕ１）同士の衝突が避けられる。
【００５４】
ＬＬＩＤ管理部１２ａ１１は、第１及び第２波長λ１及びλ２で通信を行う個々の加入者側終端装置１４に割り振るＬＬＩＤ（Ｌｏｇｉｃａｌ  Ｌｉｎｋ  ＩＤ）に関する情報（以下、「ＬＬＩＤ情報」と称する。）記憶して管理する機能を有する。
【００５５】
ここでＬＬＩＤとは、個々の加入者側終端装置１４に割り振られる、言わば装置番号である。第１局側終端部１２ａは、プリアンブル部分にこのＬＬＩＤを挿入することで送信先を明示した上で通信信号（第１下り信号Ｄ１）を加入者側終端装置１４（第１加入者側終端装置１４ａ、第２加入者側終端装置１４ｂ及び第３加入者側終端装置１４ｃ）に同報通信する。
【００５６】
同報通信を受信した加入者側終端装置１４は、同報通信中のプリアンブル部分のＬＬＩＤを参照し、自らに割り振られたＬＬＩＤと異なる場合には、その通信信号を破棄する。一方、プリアンブル部分のＬＬＩＤと自らに割り振られたＬＬＩＤとが一致する場合には、その通信信号を受け付ける。
【００５７】
第１記憶送受信部１２ａ６は、第１管理部１２ａ５及び第２局側終端部１２ｂの第２記憶送受信部１２ｂ６に通信可能に接続されている。第１記憶送受信部１２ａ６は、第２記憶送受信部１２ｂ６と相俟って、上り方向と下り方向とで通信速度が異なる第３加入者側終端装置１４ｃのＤｉｓｃｏｖｅｒｙプロセスを完了し、第３加入者側終端装置１４ｃをＥＰＯＮシステム１０に登録する機能を有する。なお、この点については後述する動作の項で詳述する。
【００５８】
第１記憶送受信部１２ａ６には、第２局側終端部１２ｂの第２記憶送受信部１２ｂ６から、第２局側終端部１２ｂにおける第１管理情報が送信され、記憶されている。より具体的には、第１管理情報とは、以下の２種の情報である。
【００５９】
（１）第２局側終端部１２ｂにおける送信タイミング管理部１２ｂ１０が保持している送信タイミング情報
（２）第２局側終端部１２ｂにおけるＬＬＩＤ管理部１２ｂ１１が保持しているＬＬＩＤ情報
【００６０】
また第１記憶送受信部１２ａ６は、第１管理部１２ａ５から、第２管理情報を読み出して、第２局側終端部１２ｂの第２記憶送受信部１２ｂ６に送信する機能を有する。より具体的には、第２管理情報とは、以下の２種の情報である。
【００６１】
（１）ディスカバリープロセスにおけるＲｅｇｉｓｔｅｒ  Ｒｅｑｕｅｓｔ情報
（２）ディスカバリープロセスにおけるＲｅｇｉｓｔｅｒ  ＡＣＫ情報（後述）
【００６２】
信号転送部１２ａ７は、第１局側処理部１２ａ４と、第２局側終端部１２ｂの信号受信部１２ｂ７とに接続されている。信号転送部１２ａ７は、第１局側受信部１２ａ２で受信された通信信号を第２局側処理部１２ｂの信号受信部１２ｂ７へと転送する機能を有する。信号転送部１２ａ７は、信号受信部１２ｂ７と相俟って、上り方向と下り方向とで通信速度が異なる第３加入者側終端装置１４ｃと局側終端装置１２との間で通信を継続する機能を有する。なお、この点については後述する動作の項で詳述する。
【００６３】
続いて、第２局側終端部１２ｂの構成について説明する。第２局側終端部１２ｂは、通信速度が異なる点を除いて、ほぼ第１局側終端部１２ａと同様に構成されている。
【００６４】
すなわち、第１局側終端部１２ａは、第１上り信号Ｕ１及び第１下り信号Ｄ１を用いて加入者側終端装置１４と通信を行っている。つまり、第１局側終端部１２ａは上り方向及び下り方向ともに１Ｇｂｐｓで通信を行っていた。しかし、第２局側終端部１２ｂは、第２上り信号Ｕ２及び第２下り信号Ｄ２を用いて加入者側終端装置１４と通信を行っている。つまり、第２局側終端部１２ｂは、上り方向及び下り方向ともに１０Ｇｂｐｓで通信を行う。
【００６５】
第２局側終端部１２ｂは、第２局側ＷＤＭ１２ｂ１と、第２局側受信部１２ｂ２と、第２局側送信部１２ｂ３と、第２局側処理部１２ｂ４と、第２管理部１２ｂ５と、第２記憶送受信部１２ｂ６と、信号受信部１２ｂ７とを備えている。
【００６６】
第２局側ＷＤＭ１２ｂ１は、光ファイバ１８を介して第２局側終端部１２ｂに入出力される第２上り信号Ｕ２（波長λ３）及び第２下り信号Ｄ２（波長λ４）の波長のみを通過させる波長フィルタである。第２局側ＷＤＭ１２ｂ１の構成は従来公知であるので、これ以上の説明を省略する。
【００６７】
第２局側受信部１２ｂ２は、第２局側ＷＤＭ１２ｂ１で選択された第３波長λ３の第２上り信号Ｕ２を受信して電気信号へと変換し、第２局側処理部１２ｂ４へと送信する機能を有する。
【００６８】
第２局側送信部１２ｂ３は、第２局側処理部１２ｂ４で処理された電気信号を、光信号へと変換し、この光信号を第４波長λ４の第２下り信号Ｄ２として、第２局側ＷＤＭ１２ｂ１に向けて送信する機能を有する。
【００６９】
第２局側処理部１２ｂ４は、第２局側受信部１２ｂ２、第２局側送信部１２ｂ３及び信号受信部１２ｂ７に接続されている。第２局側処理部１２ｂ４は、第２局側受信部１２ｂ２から受信した電気信号、及び、第２局側送信部１２ｂ３に送信する電気信号を処理する機能を有しており、ＣＰＵの機能手段として構成されている。なお、信号受信部１２ｂ７については後述する。
【００７０】
第２局側処理部１２ｂ４は、ＰＭＡレイヤＰＭＡと、ＰＣＳレイヤＰＣＳと、ＲＳレイヤＲＳと、ＭＡＣレイヤＭＡＣと、ＭＰＭＣレイヤＭＰＭＣと、ＯＡＭレイヤＯＡＭと、ＭＡＣ−Ｃｌｉｅｎｔレイヤとを備えている。なお、第２局側処理部１２ｂ４に含まれるレイヤの構成及び機能は、第１局側終端部１２ａと同様であるので、その説明を省略する。
【００７１】
第２管理部１２ｂ５は、第２局側終端部１２ｂにおける加入者側終端装置１４との通信を管理する機能を有する。具体的には第２管理部１２ｂ５は、送信タイミング管理部１２ｂ１０と、ＬＬＩＤ管理部１２ｂ１１とを備えている。
【００７２】
送信タイミング管理部１２ｂ１０は、第３及び第４波長λ３及びλ４で通信を行う個々の加入者側終端装置１４の第２局側終端部１２ｂに対する送信タイミング情報を記憶して管理している。
【００７３】
ＬＬＩＤ管理部１２ｂ１１は、第３及び第４波長λ３及びλ４で通信を行う個々の加入者側終端装置に割り振るＬＬＩＤ情報を記憶して管理する機能を有する。
【００７４】
第２記憶送受信部１２ｂ６は、第２管理部１２ｂ５及び第１局側終端部１２ａの第１記憶送受信部１２ａ６に通信可能に接続されている。第２記憶送受信部１２ｂ６は、第１記憶送受信部１２ａ６と相俟って、上り方向と下り方向とで通信速度が異なる第３加入者側終端装置１４ｃのＤｉｓｃｏｖｅｒｙプロセスを完了し、第３加入者側終端装置１４ｃをＥＰＯＮシステム１０に登録する機能を有する。なお、この点については後述する動作の項で詳述する。
【００７５】
第２記憶送受信部１２ｂ６には、第１局側終端部１２ａの第１記憶送受信部１２ａ６から第２管理情報が送信され、記憶されている。より具体的には、第２管理情報とは、以下の２種の情報である。
【００７６】
（１）ＤｉｓｃｏｖｅｒｙプロセスにおけるＲｅｇｉｓｔｅｒ  Ｒｅｑｕｅｓｔ情報
（２）ＤｉｓｃｏｖｅｒｙプロセスにおけるＲｅｇｉｓｔｅｒ  ＡＣＫ情報（後述）
【００７７】
また第２記憶送受信部１２ｂ６は、第２管理部１２ｂ５から、第１管理情報を読み出して、第１局側終端部１２ａの第１記憶送受信部１２ａ６に送信する機能を有する。
【００７８】
具体的には、第１管理情報とは、以下の２種の情報である。
【００７９】
（１）第２局側終端部１２ｂにおける送信タイミング管理部１２ｂ１０が保持している送信タイミング情報
（２）第２局側終端部１２ｂにおけるＬＬＩＤ管理部１２ｂ１１が保持しているＬＬＩＤ情報
【００８０】
信号受信部１２ｂ７は、第２局側処理部１２ｂ４と、第１局側終端部１２ａの信号転送部１２ａ７とに通信可能に接続されている。信号受信部１２ｂ７は、第１局側処理部１２ａ４で処理されて、信号転送部１２ａ７により転送された通信信号を受信して記憶する機能を有する。なお、信号転送部１２ａ７は、信号受信部１２ｂ７と相俟って、上り方向と下り方向とで通信速度が異なる第３加入者側終端装置１４ｃと局側終端装置１２との間で通信を継続する機能を有する。なお、この点については動作の項で詳述する。
【００８１】
続いて、加入者側終端装置１４について説明する。
【００８２】
加入者側終端装置１４は、この実施の形態に示す例では、第１〜第３加入者側終端装置１４ａ〜１４ｃを備えている。なお、加入者側終端装置１４に含まれる加入者側終端装置の個数は３台には限定されず、設計に応じて任意好適な台数とすることができる。
【００８３】
まず始めに第１加入者側終端装置１４ａについて説明する。第１加入者側終端装置１４ａは、第１上り信号Ｕ１を送信し、第１下り信号Ｄ１を受信するように構成されている。つまり、第１加入者側終端装置１４ａは上り方向及び下り方向ともに通信速度が１Ｇｂｐｓで通信を行う加入者側終端装置である。
【００８４】
第１加入者側終端装置１４ａは、第１加入者側ＷＤＭ１４ａ１と、第１加入者側受信部１４ａ２と、第１加入者側送信部１４ａ３と、第１加入者側処理部１４ａ４とを備えている。
【００８５】
第１加入者側ＷＤＭ１４ａ１は、光ファイバ１８を介して第１加入者側終端部１４ａに入出力される第１上り信号Ｕ１（波長λ１）及び第１下り信号Ｄ１（波長λ２）の波長のみを通過させる波長フィルタである。
【００８６】
第１加入者側受信部１４ａ２は、第１加入者側ＷＤＭ１４ａ１で選択された第２波長λ２の第１下り信号Ｄ１を受信して電気信号へと変換し、第１加入者側処理部１４ａ４に送信する機能を有する。
【００８７】
第１加入者側送信部１４ａ３は、第１加入者側処理部１４ａ４で処理された電気信号を、光信号へと変換し、この光信号を第１波長λ１の第１上り信号Ｕ１として、第１加入者側ＷＤＭ１４ａ１に向けて送信する機能を有する。
【００８８】
第１加入者側処理部１４ａ４は、第１加入者側受信部１４ａ２及び第１加入者側送信部１４ａ３に接続されていて、ＰＭＡレイヤＰＭＡと、ＰＣＳレイヤＰＣＳと、ＲＳレイヤＲＳと、ＭＡＣレイヤＭＡＣと、ＭＰＭＣレイヤＭＰＭＣと、ＯＡＭレイヤＯＡＭと、ＭＡＣ−Ｃｌｉｅｎｔレイヤとを備えている。なお、第１加入者側処理部１４ａ４に含まれるレイヤの構成及び機能は、第１局側終端部１２ａと同様であるので、その説明を省略する。
【００８９】
続いて、第２加入者側終端装置１４ｂについて説明する。第２加入者側終端装置１４ｂは、第２上り信号Ｕ２を送信し、第２下り信号Ｄ２を受信するように構成されている。つまり、第１加入者側終端装置１４ａが上り下りとも１Ｇｂｐｓで通信を行うのに対して、第２加入者側終端装置１４ｂは、は上り方向及び下り方向ともに通信速度が１０Ｇｂｐｓで通信を行う。第２加入者側終端装置１４ｂの構成は、通信速度が異なる点を除いて、第１加入者側終端装置１４ａと同様である。
【００９０】
第２加入者側終端装置１４ｂは、第２加入者側ＷＤＭ１４ｂ１と、第２加入者側受信部１４ｂ２と、第２加入者側送信部１４ｂ３と、第２加入者側処理部１４ｂ４とを備えている。
【００９１】
第２加入者側ＷＤＭ１４ｂ１は、光ファイバ１８を介して第２加入者側終端部１４ｂに入出力される第２上り信号Ｕ２（波長λ３）及び第２下り信号Ｄ２（波長λ４）の波長のみを通過させる波長フィルタである。
【００９２】
第２加入者側受信部１４ｂ２は、第２加入者側ＷＤＭ１４ｂ１で選択された第４波長λ４の第２下り信号Ｄ２を受信して電気信号へと変換し、第２局側処理部１４ｂ４に送信する機能を有する。
【００９３】
第２加入者側送信部１４ｂ３は、第２加入者側処理部１４ｂ４で処理された電気信号を、光信号へと変換し、この光信号を第３波長λ３の第２上り信号Ｕ２として、第２加入者側ＷＤＭ１４ｂ１に向けて送信する機能を有する。
【００９４】
第２加入者側処理部１４ｂ４は、第２加入者側受信部１４ｂ２及び第２加入者側送信部１４ｂ３に接続されていて、ＰＭＡレイヤＰＭＡと、ＰＣＳレイヤＰＣＳと、ＲＳレイヤＲＳと、ＭＡＣレイヤＭＡＣと、ＭＰＭＣレイヤＭＰＭＣと、ＯＡＭレイヤＯＡＭと、ＭＡＣ−Ｃｌｉｅｎｔレイヤとを備えている。なお、第２加入者側処理部１４ｂ４に含まれるレイヤの構成及び機能は、第１局側終端部１２ａと同様であるので、その説明を省略する。
【００９５】
続いて、第３加入者側終端装置１４ｃについて説明する。第３加入者側終端装置１４ｃは、第１上り信号Ｕ１を送信し、第２下り信号Ｄ２を受信するように構成されている。つまり、第１加入者側終端装置１４ａが上り下りとも１Ｇｂｐｓで通信を行うのに対して、第３加入者側終端装置１４ｃは、上り方向が１Ｇｂｐｓの通信速度で、下り方向が１０Ｇｂｐｓの通信速度で通信を行う。第３加入者側終端装置１４ｃの構成は、通信速度が異なる点を除いて、第１加入者側終端装置１４ａと同様である。
【００９６】
第３加入者側終端装置１４ｃは、第３加入者側ＷＤＭ１４ｃ１と、第３加入者側受信部１４ｃ２と、第３加入者側送信部１４ｃ３と、第３加入者側処理部１４ｃ４とを備えている。
【００９７】
第３加入者側ＷＤＭ１４ｃ１は、光ファイバ１８を介して第３加入者側終端部１４ｃに入出力される第１上り信号Ｕ１（波長λ１）及び第２下り信号Ｄ２（波長λ４）の波長のみを通過させる波長フィルタである。
【００９８】
第３加入者側受信部１４ｃ２は、第３加入者側ＷＤＭ１４ｃ１で選択された第４波長λ４の第２下り信号Ｄ２を受信して電気信号へと変換し、第３局側処理部１４ｃ４に送信する機能を有する。
【００９９】
第３加入者側送信部１４ｃ３は、第３加入者側処理部１４ｃ４で処理された電気信号を、光信号へと変換し、この光信号を第１波長λ１の第１上り信号Ｕ１として、第３加入者側ＷＤＭ１４ｃ１に向けて送信する機能を有する。
【０１００】
第３加入者側処理部１４ｃ４は、第３加入者側受信部１４ｃ２及び第３加入者側送信部１４ｃ３に接続されていて、ＰＭＡレイヤＰＭＡと、ＰＣＳレイヤＰＣＳと、ＲＳレイヤＲＳと、ＭＡＣレイヤＭＡＣと、ＭＰＭＣレイヤＭＰＭＣと、ＯＡＭレイヤＯＡＭと、ＭＡＣ−Ｃｌｉｅｎｔレイヤとを備えている。なお、第３加入者側処理部１４ｃ４に含まれるレイヤの構成及び機能は、第１局側終端部１２ａと同様であるので、その説明を省略する。
【０１０１】
（動作）
続いて、図１及び図２を参照して、この実施の形態のＥＰＯＮシステム１０の動作について説明する。図２は、局側終端装置１２と加入者側終端装置１４との間で行われるＤｉｓｃｏｖｅｒｙプロセスの処理の手順を示したシーケンス図である。
【０１０２】
（第１及び第２加入者側終端装置）
まず、始めに上り方向と下り方向とで通信速度が１Ｇｂｐｓである第１加入者側終端装置１４ａを登録するためのＤｉｓｃｏｖｅｒｙプロセスについて説明する。なお、以下の説明では、第１加入者側終端装置１４ａは、まだ局側終端装置１２の第１管理部１２ａ５に登録されていないものとする。
【０１０３】
局側終端装置１２は、未登録の加入者側終端装置１４を発見し、登録するために定期的にＤｉｓｃｏｖｅｒｙプロセスを実行する。
【０１０４】
具体的には、局側終端装置１２の第１局側終端部１２ａは、全ての加入者側終端装置１４（第１〜第３加入者側終端装置１４ａ〜１４ｃ）に対して、第１下り信号Ｄ１を用いて、一定時間間隔でＤｉｓｃｏｖｅｒｙ  Ｇａｔｅ信号Ｓ１を送信する例につき説明する。
【０１０５】
Ｄｉｓｃｏｖｅｒｙ  Ｇａｔｅ信号Ｓ１を送信する際に、第１局側終端部１２ａは、第１管理部１２ａ５の送信タイミング管理部１２ａ１０に記憶されている送信タイミング情報を参照して、加入者側終端装置１４からの返信であるＲｅｇｉｓｔｅｒ  Ｒｅｑｕｅｓｔ信号（後述）の送信タイミングを決定する。そして、決定された送信タイミングに対応する送信タイミング情報をＤｉｓｃｏｖｅｒｙ  Ｇａｔｅ信号Ｓ１に乗せてすなわち付加して、第１下り信号Ｄ１を用いて、全ての加入者側終端装置１４に向けて送信する。
【０１０６】
第１下り信号Ｄ１を用いたＤｉｓｃｏｖｅｒｙ  Ｇａｔｅ信号Ｓ１は、光ファイバ１８及び光カプラ１６を介して全ての加入者側終端装置１４に送信される。第１下り信号Ｄ１の使用波長がλ２であるために、このＤｉｓｃｏｖｅｒｙ  Ｇａｔｅ信号Ｓ１は、第１加入者側終端装置１４ａの第１加入者側ＷＤＭ１４ａ１を通過して、第１加入者側受信部１４ａ２で受信される。
【０１０７】
なお、Ｄｉｓｃｏｖｅｒｙ  Ｇａｔｅ信号Ｓ１は、加入者側終端装置１４を構成する既に登録されている加入者側終端装置では破棄され、未登録の第１加入者側終端装置１４ａでのみ受信される。
【０１０８】
Ｄｉｓｃｏｖｅｒｙ  Ｇａｔｅ信号Ｓ１を受信した第１加入者側終端装置１４ａは、Ｄｉｓｃｏｖｅｒｙ  Ｇａｔｅ信号Ｓ１で指定された許可時間の経過後、第１上り信号Ｕ１を用いて、Ｒｅｇｉｓｔｅｒ  Ｒｅｑｕｅｓｔ信号Ｓ２を局側終端装置１２に向けて送信する。この許可時間は、Ｄｉｓｃｏｖｅｒｙ  Ｇａｔｅ信号Ｓ１から読み出された送信タイミング情報から送信タイミングを検出し、この送信タイミングで決定された受信時刻からの経過時間である。
【０１０９】
第１上り信号Ｕ１を用いて送信されたＲｅｇｉｓｔｅｒ  Ｒｅｑｕｅｓｔ信号Ｓ２は使用波長がλ１であるために、局側終端装置１２に到達した後、ＷＤＭ１２ｃと第１局側終端部１２ａの第１局側ＷＤＭ１２ａ１とを経て、第１局側受信部１２ａ２で受信される。
【０１１０】
Ｒｅｇｉｓｔｅｒ  Ｒｅｑｕｅｓｔ信号Ｓ２を受信した第１局側終端部１２ａは、第１管理部１２ａ５のＬＬＩＤ管理部１２ａ１１に保持され管理されているＬＬＩＤ情報を参照して、第１加入者側終端装置１４ａに割り当てるべきＬＬＩＤを決定する。そして、第１局側終端部１２ａは、決定されたＬＬＩＤをＲｅｇｉｓｔｅｒ信号Ｓ３として第１加入者側終端装置１４ａに向けて第１下り信号Ｄ１を用いて送信する。
【０１１１】
同時に、第１局側終端部１２ａは、第１管理部１２ａ５の送信タイミング管理部１２ａ１０の送信タイミング情報を参照して、第１加入者側終端装置１４ａからの上り信号の送信タイミングを決定する。そして、決定された送信タイミングを許可（Ｇａｔｅ）信号Ｓ４に乗せて、第１下り信号Ｄ１を用いて第１加入者側終端装置１４ａに向けて送信する。
【０１１２】
第１下り信号Ｄ１を用いて送信された登録（Ｒｅｇｉｓｔｅｒ）信号Ｓ３及びＧａｔｅ信号Ｓ４は、使用波長がλ２であるために、第１加入者側終端装置１４ａに到達した後に、第１加入者側ＷＤＭ１４ａ１を通過し、第１加入者側受信部１４ａ２で受信される。
【０１１３】
このようにして、Ｒｅｇｉｓｔｅｒ信号Ｓ３及びＧａｔｅ信号Ｓ４を受信した第１加入者側終端装置１４ａは、Ｒｅｇｉｓｔｅｒ  Ｒｅｑｕｅｓｔ信号Ｓ２の場合と同様に、Ｇａｔｅ信号Ｓ４に記載されている送信タイミングで、Ｒｅｇｉｓｔｅｒ  ＡＣＫ信号Ｓ５を、第１上り信号Ｕ１を用いて局側終端装置１２に送信する。
【０１１４】
第１上り信号Ｕ１を用いて送信されたＲｅｇｉｓｔｅｒ  ＡＣＫ信号Ｓ５は使用波長がλ１であるために、局側終端装置１２に到達した後、ＷＤＭ１２ｃと第１局側終端部１２ａの第１局側ＷＤＭ１２ａ１とを通過し、第１局側受信部１２ａ２で受信される。
【０１１５】
第１局側終端装置１２ａにおいてＲｅｇｉｓｔｅｒ  ＡＣＫ信号Ｓ５が受信されたことをもって、Ｄｉｓｃｏｖｅｒｙプロセスは終了し、局側終端装置１２の第１管理部１２ａ５に第１加入者側終端装置１４ａが登録される。
【０１１６】
なお、上り方向と下り方向とで通信速度が１０Ｇｂｐｓである第２加入者側終端装置１４ｂのＤｉｓｃｏｖｅｒｙプロセスについても同様である。すなわち、第２加入者側終端装置１４ｂと第２局側終端部１２ｂとの間で、第２上り信号Ｕ２及び第２下り信号Ｄ２を用いて、上述したＤｉｓｃｏｖｅｒｙ  Ｇａｔｅ信号、Ｒｅｇｉｓｔｅｒ  Ｒｅｑｕｅｓｔ信号、Ｒｅｇｉｓｔｅｒ信号、Ｇａｔｅ信号、及びＲｅｇｉｓｔｅｒ  ＡＣＫ信号のやり取りを行うことで、Ｄｉｓｃｏｖｅｒｙプロセスが完了する。
【０１１７】
（第３加入者側終端装置）
第３加入者側終端装置１４ｃは、通信速度の異なる第１上り信号Ｕ１（波長λ１）と第２下り信号Ｄ２（波長λ４）とを用いて局側終端装置１２と通信を行う。つまり、第３加入者側終端装置１４ｃは、下り方向の通信速度が第２通信速度（１０Ｇｂｐｓ）であり、上り方向の通信速度が第１通信速度（１Ｇｂｐｓ）である。
【０１１８】
そのため、未登録の第３加入者側終端装置１４ｃを局側終端装置１２の第１及び第２管理部１２ａ５及び１２ｂ５に登録するためのＤｉｓｃｏｖｅｒｙプロセスでは、上り方向と下り方向の通信速度が等しい第１及び第２加入者側終端装置１４ａ及び１４ｂとは異なる処理が必要となる。
【０１１９】
以下、図１，図２及び図３を参照して、この処理について順を追って説明する。図３は、第１局側終端部１２ａの第１記憶送受信部１２ａ６と、第２局側終端部１２ｂの第２記憶送受信部１２ｂ６との間の情報のやり取りを示すシーケンス図である。
【０１２０】
なお、以下の説明においては加入者側終端装置１４の中で、第３加入者側終端装置１４ｃのみが局側終端装置１２に未登録であるものとする。
【０１２１】
（１）Ｄｉｓｃｏｖｅｒｙ  Ｇａｔｅ信号
まず、局側終端装置１２の第２局側終端部１２ｂは、全ての加入者側終端装置１４に向けて、第２下り信号Ｄ２を用いてＤｉｓｃｏｖｅｒｙ  Ｇａｔｅ信号Ｓ１を送信する。この際、第２局側終端部１２ｂは、第２管理部１２ｂ５の送信タイミング管理部１２ｂ１０の送信タイミング情報を参照して、加入者側終端装置１４からの返信であるＲｅｇｉｓｔｅｒ  Ｒｅｑｕｅｓｔ信号（後述）の送信タイミングを決定する。そして、決定された送信タイミングに対応する送信タイミング情報をＤｉｓｃｏｖｅｒｙ  Ｇａｔｅ信号Ｓ１に乗せてすなわち付加して、第２下り信号Ｄ２を用いて、全ての加入者側終端装置１４に向けて送信する。
【０１２２】
さらに、第２局側終端部１２ｂの第２記憶送受信部１２ｂ６は、第２管理部１２ｂ５の送信タイミング管理部１２ｂ１０から、Ｄｉｓｃｏｖｅｒｙ  Ｇａｔｅ信号Ｓ１に付加された送信タイミング情報を読み出し、第１局側終端部１２ａの第１記憶送受信部１２ａ６へと送信する（図３、Ｓ１１）。
【０１２３】
送信タイミング情報を受信した第１局側終端部１２ａの第１記憶送受信部１２ａ６は、この送信タイミング情報を記憶しておく。この送信タイミング情報の受信により第１局側終端部１２ａは、第２局側終端部１２ｂにおいてＤｉｓｃｏｖｅｒｙプロセスが開始されたことを認識する。
【０１２４】
（２）Ｒｅｇｉｓｔｅｒ  Ｒｅｑｕｅｓｔ信号
Ｄｉｓｃｏｖｅｒｙ  Ｇａｔｅ信号Ｓ１を受信した第３加入者側終端装置１４ｃは、第１加入者側終端装置１４ａの場合と同様に、Ｄｉｓｃｏｖｅｒｙ  Ｇａｔｅ信号Ｓ１で指定された送信タイミングで、第１上り信号Ｕ１を用いて、Ｒｅｇｉｓｔｅｒ  Ｒｅｑｕｅｓｔ信号Ｓ２を局側終端装置１２に向けて送信する。
【０１２５】
第１上り信号Ｕ１を用いて送信されたＲｅｇｉｓｔｅｒ  Ｒｅｑｕｅｓｔ信号Ｓ２は使用波長がλ１であるために、局側終端装置１２に到達した後、ＷＤＭ１２ｃを通過して第１局側終端部１２ａで受信される。
【０１２６】
ところで、第１局側終端部１２ａの第１記憶送受信部１２ａ６には、上述のように、第２記憶送受信部１２ｂ６から送られた送信タイミング情報が記憶されている。その結果、第１局側終端部１２ａは、この送信タイミング情報を参照することにより、第２局側終端部１２ｂで開始されたＤｉｓｃｏｖｅｒｙプロセスを継続することができる。
【０１２７】
すなわち、第１局側終端部１２ａは、Ｒｅｇｉｓｔｅｒ  Ｒｅｑｕｅｓｔ信号Ｓ２を受信すると、直ちにこの情報を第２局側終端部１２ｂに送る。つまり、第１記憶送受信部１２ａ６は、第１管理部１２ａ５を参照して、Ｒｅｇｉｓｔｅｒ  Ｒｅｑｕｅｓｔ信号Ｓ２を受信したことを示すＲｅｇｉｓｔｅｒ  Ｒｅｑｕｅｓｔ情報を、第２局側終端部１２ｂの第２記憶送受信部１２ｂ６へと送る（図３、Ｓ１２）。
【０１２８】
第２局側終端部１２ｂの第２記憶送受信部１２ｂ６は、このＲｅｇｉｓｔｅｒ  Ｒｅｑｕｅｓｔ情報を受信して記憶しておく。これにより、第２局側終端部１２ｂは、Ｄｉｓｃｏｖｅｒｙプロセスが正常に進行していることを認識することができる。
【０１２９】
（３）Ｒｅｇｉｓｔｅｒ信号及びＧａｔｅ信号
第２局側終端部１２ｂは、第１局側終端部１２ａからＲｅｇｉｓｔｅｒ  Ｒｅｑｕｅｓｔ情報を受け取ると、直ちに第３加入者側終端装置１４ｃに割り振るべきＬＬＩＤを決定する。
【０１３０】
すなわち、第２局側終端部１２ｂは、第２管理部１２ｂ５のＬＬＩＤ管理部１２ｂ１１に保持され管理されているＬＬＩＤ情報を参照して、第３加入者側終端装置１４ｃに割り振るべきＬＬＩＤを決定する。そして、第２局側終端部１２ｂは、決定されたＬＬＩＤをＲｅｇｉｓｔｅｒ信号Ｓ３に乗せて、第２下り信号Ｄ２で第３加入者側終端装置１４ｃに向けて送信する。
【０１３１】
同時に、第２局側終端部１２ｂは、第１局側終端部１２ａからＲｅｇｉｓｔｅｒ  Ｒｅｑｕｅｓｔ情報を受け取ると、直ちに第３加入者側終端装置１４ｃがＲｅｇｉｓｔｅｒ  ＡＣＫ信号を送信すべき送信タイミングを決定する。
【０１３２】
すなわち、第２局側終端部１２ｂは、第２管理部１２ｂ５の送信タイミング管理部１２ｂ１０の送信タイミング情報を参照する。そして、第３加入者側終端装置１４ｃからのＲｅｇｉｓｔｅｒ  ＡＣＫ信号の送信タイミングを決定する。続いて、決定された送信タイミングをＧａｔｅ信号Ｓ４に乗せて、第２下り信号Ｄ２を用いて第３加入者側終端装置１４ｃに向けて送信する。
【０１３３】
さらに、第２局側終端部１２ｂの第２記憶送受信部１２ｂ６は、ＬＬＩＤ管理部１２ｂ１１及び送信タイミング管理部１２ｂ１０を参照し、決定されたＬＬＩＤ情報及び送信タイミング情報を第１局側終端部１２ａの第１記憶送受信部１２ａ６へと送信する（図３、Ｓ１３）。
【０１３４】
ＬＬＩＤ情報及び送信タイミング情報を受信した第１局側終端部１２ａの第１記憶送受信部１２ａ６は、受信したＬＬＩＤ情報及び送信タイミング情報を記憶しておく。
【０１３５】
（４）Ｒｅｇｉｓｔｅｒ  ＡＣＫ信号
Ｒｅｇｉｓｔｅｒ信号Ｓ３及びＧａｔｅ信号Ｓ４を受信した第３加入者側終端装置１４ｃは、Ｇａｔｅ信号Ｓ４で指定された送信タイミングで、第１上り信号Ｕ１を用いて、Ｒｅｇｉｓｔｅｒ  ＡＣＫ信号Ｓ５を局側終端装置１２に向けて送信する。
【０１３６】
第１上り信号Ｕ１を用いて送信されたＲｅｇｉｓｔｅｒ  ＡＣＫ信号Ｓ５は使用波長がλ１であるために、局側終端装置１２に到達した後、ＷＤＭ１２ｃを通過して第１局側終端部１２ａで受信される。
【０１３７】
ところで、第１局側終端部１２ａの第１記憶送受信部１２ａ６には、上述のように、第２記憶送受信部１２ｂ６から送信されたＬＬＩＤ情報及び送信タイミング情報が記憶されている。よって、第１局側終端部１２ａは、第３加入者側終端装置１４ｃからのＲｅｇｉｓｔｅｒ  ＡＣＫ信号Ｓ５を適切に処理することができる。
【０１３８】
さらに、第１記憶送受信部１２ａ６は、第１管理部１２ａ５を参照して、Ｒｅｇｉｓｔｅｒ  ＡＣＫ信号Ｓ５を受信したことを示すＲｅｇｉｓｔｅｒ  ＡＣＫ情報を、第２局側終端部１２ｂの第２記憶送受信部１２ｂ６へと送信する（図３、Ｓ１４）。
【０１３９】
第２局側終端部１２ｂの第２記憶送受信部１２ｂ６は、このＲｅｇｉｓｔｅｒ  ＡＣＫ情報を受信して記憶しておく。これにより、第２局側終端部１２ｂは、Ｄｉｓｃｏｖｅｒｙプロセスが正常に終了したことを認識する。
【０１４０】
第２局側終端部１２ｂの第２記憶送受信部１２ｂ６においてＲｅｇｉｓｔｅｒ  ＡＣＫ情報が記憶されたことをもって、Ｄｉｓｃｏｖｅｒｙプロセスは終了し、局側終端装置１２に第３加入者側終端装置１４ｃが登録される。
【０１４１】
このように、Ｄｉｓｃｏｖｅｒｙプロセスが終了すると、局側終端装置１２と第３加入者側終端装置１４ｃとの間で通常の通信が行われる。
【０１４２】
第３加入者側終端装置１４ｃから第１上り信号Ｕ１で送信されるデータは、第１局側終端部１２ａで受信され、信号転送部１２ａ７により、第２局側終端部１２ｂの信号受信部１２ｂ７に転送される。信号受信部１２ｂ７で受信されたデータは、第２局側終端部１２ｂの第２局側処理部１２ｂ４で処理される。
【０１４３】
このように、信号転送部１２ａ７と信号受信部１２ｂ７との働きにより、Ｄｉｓｃｏｖｅｒｙプロセスが終了した後も第３加入者側終端装置１４ｃと局側終端装置１２とは、相互に通信を継続することができる。
【０１４４】
このように、この実施の形態のＥＰＯＮシステムでは、それぞれ通信速度の異なる３種類の第１〜第３加入者側終端装置１４ａ〜１４ｃを、２種類の局側終端部１２ａ及び１２ｂを備えた局側終端装置１２で収容することができる。つまり、局側終端部の種類を増やす必要がない。その結果、通信速度の種類によらず加入者側終端装置１４を効率的に収容することができるＥＰＯＮシステムが得られる。
【符号の説明】
【０１４５】
１０  ＥＰＯＮシステム
１２  局側終端装置
１２ａ  第１局側終端部
１２ａ１  第１局側ＷＤＭ
１２ａ２  第１局側受信部
１２ａ３  第１局側送信部
１２ａ４  第１局側処理部
１２ａ５  第１管理部
１２ａ６  第１記憶送受信部
１２ａ７  信号転送部
１２ａ１０，１２ｂ１０  送信タイミング管理部
１２ａ１１，１２ｂ１１  ＬＬＩＤ管理部
１２ｂ  第２局側終端部
１２ｂ１  第２局側ＷＤＭ
１２ｂ２  第２局側受信部
１２ｂ３  第２局側送信部
１２ｂ４  第２局側処理部
１２ｂ５  第２管理部
１２ｂ６  第２記憶送受信部
１２ｂ７  信号受信部
１２ｃ  ＷＤＭ
１４  加入者側終端装置
１４ａ  第１加入者側終端装置
１４ａ１  第１加入者側ＷＤＭ
１４ａ２  第１加入者側受信部
１４ａ３  第１加入者側送信部
１４ａ４  第１加入者側処理部
１４ｂ  第２加入者側終端装置
１４ｂ１  第２加入者側ＷＤＭ
１４ｂ２  第２加入者側受信部
１４ｂ３  第２加入者側送信部
１４ｂ４  第２加入者側処理部
１４ｃ  第３加入者側終端装置
１４ｃ１  第３加入者側ＷＤＭ
１４ｃ２  第３加入者側受信部
１４ｃ３  第３加入者側送信部
１４ｃ４  第３加入者側処理部
１６  光カプラ
１８  光ファイバ
【図１】
2010206760.tif 000003
【図２】
2010206760.tif 000004
【図３】
2010206760.tif 000005
【図４】
2010206760.tif 000006